(57)【要約】【課題】  長尺仮設材を確実に構造物に設置し、安全にかつ安心して作業を行うことができるようにすること。【解決手段】  構造物に沿って長尺仮設材を起立させて設置する長尺仮設材設置構造であって、長尺仮設材と、前記長尺仮設材の下部で前記構造物と前記長尺仮設材との間隔を規定するための間隔規定部材と、前記長尺仮設材に張力が付与されることにより、前記長尺仮設材が前記構造物から離隔することを防止する緊張部材と、前記緊張部材を構造物に保持するための保持手段とを有することを特徴とする。【選択図】  図１
2006009501.tif 000002
【特許請求の範囲】
【請求項１】
構造物に沿って長尺仮設材を起立させて設置する長尺仮設材設置構造であって、
長尺仮設材と、
前記長尺仮設材の下部で前記構造物と前記長尺仮設材との間隔を規定するための間隔規定部材と、
前記長尺仮設材に張力が付与されることにより、前記長尺仮設材が前記構造物から離隔することを防止する緊張部材と、
前記緊張部材を構造物に保持するための保持手段とを有することを特徴とする長尺仮設材材設置構造。
【発明の詳細な説明】
【技術分野】
【０００１】
本発明は、梯子等の長尺仮設材を壁等の構造物に設置する長尺仮設材設置構造に関するものである。
【背景技術】
【０００２】
高所における作業を作業者が安全に行うために、作業者が乗る梯子を安定させるための手段がある。例えば、二連式の梯子の両側面に該梯子を安定させるための足を付帯するものがある（例えば、特許文献１参照）。
【０００３】
【特許文献１】実開平５−３６０００号公報
【発明の開示】
【発明が解決しようとする課題】
【０００４】
しかしながら、前述の背景技術においては次に示す問題があった。
【０００５】
まず、梯子を伸ばして住宅の壁面に立てかける場合、ある程度の角度を持たせて立てかけないと梯子が不安定になり、梯子が転倒するおそれがある。しかし、都市型の住宅においては、近隣との距離が短いため、十分な角度を保って梯子を立てかけることができない場合もある。また、作業者の梯子の昇降時に危険が伴う場合もある。
【０００６】
また、梯子を壁面に立てかけるのみの構成であると、構造力学的に安定していたとしても、作業中に梯子が揺れると、作業者に恐怖心を与え、安心して梯子の昇降をすることができないという問題もあった。
【０００７】
本発明は、長尺仮設材を確実に構造物に設置し、安全にかつ安心して長尺仮設材の昇降を行うことができるようにすることを目的とする。
【課題を解決するための手段】
【０００８】
前記目的を達成するための本発明に係る代表的な構成は、構造物に沿って長尺仮設材を起立させて設置する長尺仮設材設置構造であって、長尺仮設材と、前記長尺仮設材の下部で前記構造物と前記長尺仮設材との間隔を規定するための間隔規定部材と、前記長尺仮設材に張力が付与されることにより、前記長尺仮設材が前記構造物から離隔することを防止する緊張部材と、前記緊張部材を構造物に保持するための保持手段とを有することを特徴とする。
【発明の効果】
【０００９】
上記のような構成により、長尺仮設材は、緊張部材に張力が付与されることにより、構造物側から離隔することを防止する。また、長尺仮設材の下部は、間隔規定部材によって間隔が規定され、長尺仮設材の下部に抗力を付与している。このため、緊張部材からの張力によって長尺仮設材の下部が構造物側へ寄り、長尺仮設材の上部が構造物から離れてしまうこともない。このように、本発明の構成によれば、長尺仮設材を構造物に対して構造力学的に安定して設置することができる。
【００１０】
このため、都市型の住宅のように、近隣との距離が短いため、十分な角度を保って長尺仮設材を立てかけることができない場合であっても、長尺仮設材を構造力学的に安定した状態を保って構造物に設置することができる。さらに、緊張部材を緊張させることにより、長尺仮設材は構造物側に張力を付与されつつ保持される。このため、長尺仮設材は作業中に揺れることを防止し、作業者が長尺仮設材を昇降する際における、作業者の恐怖心を軽減することができる。
【発明を実施するための最良の形態】
【００１１】
本発明の実施形態を実施例を挙げて詳細に説明する。尚、以下に示すものは例示であるため、本発明はこれらの実施例に限定されるものではない。
【００１２】
〔実施例〕
図を用いて本発明の実施例を詳細に説明する。
【００１３】
図１に示すように、本実施例の長尺仮設材設置構造は、構造物Ａに設置する長尺仮設材としての梯子１と、梯子１の下部で構造物Ａと梯子１との間隔を規定するための間隔規定部材２と、梯子１に張力が付与されることにより、梯子１が構造物Ａから離隔することを防止する緊張部材３と、緊張部材３を構造物Ａに保持するための保持手段４とを有する。以下に、長尺仮設材設置構造の各部材の詳細構成と、長尺仮設材設置構造の設置手順について説明する。
【００１４】
（長尺仮設材設置構造の各部材の詳細構成）
長尺仮設材としては、梯子１が挙げられる。梯子１としては、高所への昇降をすることのできる２連梯子や３連梯子がであってもよい。梯子はスライド式で伸縮するものであっても、折り畳んだものを開いて伸ばす構造のものでもよく、市販のものを用いることができる。図１においては、スライド式の２連梯子を、伸ばして構造物Ａに立てかけた状態を例示している。尚、以下の説明においては、梯子の両側面の支柱部分を縦桟、梯子の足場部分を横桟という。
【００１５】
間隔規定部材２は、梯子１の下方に設置され、構造物Ａとの間隔を規定する。間隔規定部材２があることにより、後述の緊張部材３から梯子１に張力が付与されても、構造物Ａから間隔規定部材２を介して梯子１に反力を働かせることができ、梯子１の下部が構造物Ａ側へ引き寄せられることを防止する。梯子１の下部が構造物Ａ側へ引き寄せられないので、梯子１の上部は安定して構造物Ａ側へ付勢されることとなり、梯子１の姿勢を安定させることができる。このため、張力に抗して梯子１と構造物Ａとの間隔を確実に規定するように、間隔規定部材２の材質は、金属等の剛性のある材質で作ることが好ましい。
【００１６】
間隔規定部材２は、図２に示すように、主にステンレスやアルミニウム等の金属製の梯子で横桟１ａの空洞１ｂがある場合、空洞１ｂを利用して取り付けることができる。間隔規定部材２は、梯子１の下部において、両側面から構造物Ａ側に略水平に構成される足部２ａと、前記横桟の空洞１ｂに貫通するの貫通軸２ｂと、貫通軸２ｂと足部２ａとを回動可能に固定する固定金具２ｃとから構成される。
【００１７】
間隔規定部材２は、梯子１の下部が構造物Ａに寄らないために設けるものであるから、緊張部材３よりも下部において間隔を規定するように構成することが必要である。このため、梯子の横桟に取り付ける場合には、梯子の最も下の横桟１ａに取り付けることが好ましい。
【００１８】
間隔規定部材２の足部２ａは、構造物Ａに当接する側の先端部が図２（ａ）に示すように、微調整が可能である。このため、足部２ａの先端部を構造物Ａ表面の凹凸に合わせて微調整することで、確実に足部２ａの先端部が当接する。足部２ａの先端部を確実に当接させることにより、間隔規定部材２のブレを防止し、梯子１の揺れを防止することができる。足部２ａの先端部は、ゴムや樹脂等の弾性を有し、摩擦力の大きな材質で構成することが好ましい。すると、足部２ａの先端部における衝撃が吸収されかつ摩擦力が働くので、より安定して足部２ａが構造物Ａに対して当接することができる。
【００１９】
また、長い梯子を設置する場合など、間隔規定部材２が前述した微調整の機能をもってしても構造物Ａまで到達し得ない場合であっても、次のようにして足部２ａを構造物Ａに対して到達させることができる。即ち、図２（ｂ）に示すように、鋼管２ｄを固定金具２ｃにより梯子１に固定し、二連クランプのような鋼管と鋼管とをつなぐ固定金具２ｅにより鋼管２ｄと足部２ａとをつないで構造物Ａに到達させることができる。また、足部２ａに伸縮可能な構成（不図示）にすれば、梯子１の位置を再設定することなく、足部２ａを構造物Ａに当接させることができる。
【００２０】
また、間隔規定部材２の足部２ａは、貫通軸２ｂを軸として回動可能に構成される。すると、足部２ａを梯子１の縦桟と平行になるように回動させると、梯子１の搬送時に足部２ａが突出しないようになり、梯子１の持ち運びが容易になる。また、足部２ａを梯子１から取り外し可能な構成にしてもよい。この場合も持ち運びを容易にすることができる。
【００２１】
緊張部材３は、図１に示すように、間隔規定部材２よりも上方において梯子１に固定される。そして、緊張部材３に張力を付与し、梯子１が構造物Ａ側から離隔しないようにすることで、梯子１を安定して支持するためのものである。
【００２２】
緊張部材３は、図３に示すように、ベルト部３ａとベルト締部３ｂとから構成される。緊張部材３のベルト部３ａの端部３ｃ、３ｄは、片方の端部３ｃが梯子１に固定され、他方の端部３ｄが後述の保持手段４により保持される。緊張部材３のベルト部３ａの端部３ｃ、３ｄは輪状になっており、カラビナ11等に掛けやすくなっている。
【００２３】
緊張部材３は、梯子１との固定を次のようにしている。図１に示すように、梯子１の横桟の空洞１ｂには貫通軸10ａとリング部10ｂとから構成される固定リング部材10を付帯し、固定リング部材10とベルト部３ａの端部３ｃの輪状になった部分とをカラビナ11によって連結して固定している。また、緊張部材３と構造物Ａに固定される保持手段４との固定は、図３に示すように、保持手段４に緊張部材保持部（本実施例ではクランプ４ａ）を設け、ベルト部３ａの端部３ｄをクランプ４ａにより直接保持する構成としている。尚、これに限らず、緊張部材３と保持手段４のクランプ４ａとの固定も、カラビナ11を使うことで、固定リング部材10のリング部10ｂと同様にすることも可能である。
【００２４】
緊張部材３は、ベルト締部３ｂを使用してベルト部３ａを締めることで張力が生じ、梯子１が構造物Ａから離隔することを防止する。ベルト締部３ｂは、荷物を固定するための荷締め機と同様の構成である。即ち、ラチェット式金具のハンドルを図３の矢印方向に倒すと、ベルト部３ａが矢印方向に移動して締め付けられ、ベルト部３ａに張力が加わる構成になっている。このような緊張部材３を利用することで、作業者は少ない労力で梯子１と保持手段４との間においてベルト部３ａを確実に緊張させることができる。これにより、梯子１を保持手段４を介して構造物Ａから離隔させないように保持することができる。尚、図３においては梯子１の片側のみを示したが、緊張部材３は、図１に示すように、梯子１の縦桟の両端に同様に保持する構成である。このように、梯子１の両端に同様に保持することにより、梯子１は片方の縦桟を軸にして回転することはなく、安定して設置することができる。
【００２５】
保持手段４は、緊張部材３と連結するための緊張部材保持部と、構造物Ａに固定される構造物固定部とを有する。図４に示すように、本実施例においては、緊張部材保持部としてはクランプ４ａを使用し、構造物固定部としては通気口把持体４ｂを使用する。
【００２６】
クランプ４ａは付帯のボルトを締めた状態において、中空円筒状の内部に物体を挟み込んで該物体を固定する金具である。このため、本実施例においては、クランプ４ａの付帯のボルトを外すことで中空円柱状の部分を開き、緊張部材３のベルト部３ａの端部３ｄの輪状になった部分を前記中空円筒状の内部に架ける。そして前記付帯のボルトを締めることで、ベルト部３ａの端部３ｄとクランプ４ａとを固定している（図３参照）。
【００２７】
通気口把持体４ｂは、図１に示すように、構造物Ａの基礎部の通気口Ｂに固定することができるものであり、クランプ４ａと一体となって構成されている。通気口把持体４ｂは、先端がＬ字状になった通気口挿入部４ｂ１と、ハンドル４ｂ３を付帯した締込部４ｂ２とから構成される。通気口把持体４ｂを構造物Ａに固定する際には、通気口把持体４ｂを構造物Ａの通気口Ｂに挿入して基礎部の内部に架けた後、ハンドル４ｂ３を回して基礎部の外部から締込部４ｂ２を締めこむ。これにより通気口把持体４ｂは、通気口挿入部４ｂ１と締込部４ｂ２との間で構造物Ａの基礎部を挟み込み、構造物Ａに固定される。
【００２８】
（長尺仮設材設置構造の設置手順）
以上の構成により、梯子１を設置する手順を説明する。
【００２９】
まず、構造物Ａと保持手段４、保持手段４と緊張部材３とを接続する。具体的には、保持手段４を通気口把持体４ｂを使用して、構造物Ａの通気口Ｂの２箇所に固定する。そして、保持手段４と緊張部材３とを、前述のようにベルト部３ａの端部３ｄの輪状の部分をクランプ４ａによって保持する。
【００３０】
次に、梯子１を構造物Ａに立てかける。具体的には、梯子１の下部にある間隔規定部材２を構造物Ａ側に出して、間隔規定部材２の足部２ａを構造物Ａに当接させつつ梯子１を構造物Ａに立てかける。梯子１に付帯した固定リング部材10と緊張部材３とをカラビナ11を利用することで連結する。
【００３１】
最後に、緊張部材３を緊張させる。具体的には、緊張部材３のベルト締部３ｂのハンドルを倒す動作を繰り返し、ベルト部３ａが完全に緊張するようにする。この場合、２つの緊張部材３のベルト部３ａは、できる限り均等な張力で緊張していることが好ましい。そして、作業者が梯子１の安定性を確認して、梯子１の設置作業が完了する。
【００３２】
以上のような構成及び手順で設置することで、梯子１は安定して構造物Ａに対して固定される。即ち、梯子１は、緊張部材３により構造物Ａ側から離隔しないように保持されるため、梯子１が構造物Ａから離れてしまうことはない。また、梯子１の下部は、間隔規定部材２によって間隔が規定され、梯子１の下部に抗力を付与している。このため、作業者が梯子１の昇降中に、梯子１の下部が構造物Ａ側に近寄る方向に力が働いても、間隔規定部材の抗力があることにより構造物Ａ側に近寄ることはない。このように、梯子１は構造物Ａに対して構造力学的に安定して設置され、かつその姿勢を維持することができる。
【００３３】
このため、都市型の住宅のように、近隣との距離が短いために十分な角度を保って梯子１を立てかけることができない場合であっても、梯子１を確実に構造物に設置し、その姿勢を維持することができる。このため、梯子１は安定して設置され、作業者は安全に梯子１の昇降ができる。また、上述のように梯子１は安定して設置され、かつその姿勢を維持するため、作業中に梯子１が大きく揺れることはない。このため、作業者の昇降中の足場が揺れることによる恐怖心を軽減することができ、梯子１を安心して昇降することができる。
【００３４】
〔他の実施例〕
前述した実施例においては、緊張部材３を保持する保持手段として、クランプ４ａと通気口把持体４ｂとを一体的に構成し緊張部材３をクランプ４ａにより保持するものを挙げたが、これに限るものではない。例えば、図５に示すように、基礎部の２箇所の通気口Ｂに通気口把持体４ｂを取り付け、通気口把持体４ｂと一体となっているクランプ４ａにより鋼管４ｃを保持する。そして、梯子１の左右の鋼管４ｃの２箇所においてクランプ４ｄを付帯し、クランプ４ｄによって緊張部材３を保持する構成としてもよい。
【００３５】
また、図６（ａ）に示すように、保持手段として、クランプ４ａに鋼管４ｃを付帯するのではなく、クランプ４ａに親綱４ｅを付帯する構成であってもよい。この場合、緊張部材３の保持は、親綱４ｅに設けられたグリップ４ｆにより行う。グリップ４ｆは、安全帯としてのグリップを用いることができる。即ち、グリップ４ｆの親綱４ｅ側には親綱４ｅに対して固定されかつスライドして移動可能な金具が付帯され、緊張部材３側にはフック形状の金具が付帯されるものである。これにより、２つの通気口Ｂの間を通気口把持体４ｂとクランプ４ａを用いて親綱４ｅを張設し、親綱４ｅと緊張部材３とをグリップ４ｆを用いることにより保持し、最後に緊張部材３を緊張させることで、前述した実施例と同様の効果を得ることができる。
【００３６】
また、保持手段４として、親綱４ｅを張設する際には、必ずしも２つの通気口Ｂの間に張設する必要はなく、図６（ｂ）に示すように、構造物Ａの基礎面が外壁面よりも後退し外壁の下部に凹部がある場合には、該凹部を利用して親綱４ｅを張設してもよい。この場合、外壁の下端と地面との間を突っ張らせることで支持する突っ張り支持具４ｇにより親綱４ｅを保持し、構造物Ａの出隅部Ｃに載置するコーナー支持具４ｈを介して、親綱４ｅを張設してもよい。
【００３７】
ここで、突っ張り支持具４ｇは、梯子１を設置する面とコーナーを介して他の面に設置する必要がある。これにより、突っ張り支持具４ｇには、構造物Ａの壁面と水平な面内の力が働き、突っ張り支持具４ｇは親綱４ｅから強い力がかかっても、安定して保持することができる。この構成において、コーナーを介して突っ張り支持具４ｇを使用することにより、突っ張り支持具４ｇの張力が基礎面に垂直方向（構造物壁面に対して法線方向）に働くことを防止している。突っ張り支持具４ｇは、構造物Ａの壁面に対して法線方向の力に対しては弱いため、壁面に対して法線方向に親綱４ｅからの力が働くようには使用しないようにする必要がある。尚、図６（ｂ）においては、親綱４ｅの一端を突っ張り支持具４ｇで保持し、他端を通気口把持体４ｂのクランプ４ａで保持した例を示す。
【００３８】
また、保持手段４は、必ずしも基礎部付近で緊張部材３を保持する必要はなく、より高所であってもよい。例えば、図７に示すように、構造物Ａの壁面の出隅部に、コーナー支持具４ｈを同じ高さに設置して親綱４ｅを周回させ、荷締め機等の緊張手段４ｉを用いることで親綱４ｅを張設する。そして、親綱４ｅに付帯したグリップ４ｆを用いることで、緊張部材３を保持するというものである。
【００３９】
また、前述の実施例においては、保持手段として通気口把持体４ｂ等を使用したが、これに限るものではなく、構造物Ａの外壁面や基礎面に予め緊張部材３の保持手段として使用することのできるような構造（例えば、アンカー部材）がある場合には、該構造を保持手段として利用することもできる。
【００４０】
前述の実施例の間隔規定部材２は、梯子１の下部のみに設置したが、これに限るものではない。例えば、梯子１の上端が構造物Ａの壁面に当たらず、構造物の屋根に当接する場合に、該屋根に雨樋や装飾等があると、該雨樋や装飾に梯子１が当接して傷めてしまうおそれがある。また、梯子１の上端において十分な反力を確保できず、梯子１が不安定になる恐れもある。これを防止するために、梯子１の下部に設けた間隔規定部材２よりも短く、屋根が構造物の壁面からの突出寸法よりも長い間隔規定部材を設置することで、屋根を傷めずに、構造物Ａからの反力を確実に確保することができ、梯子１を構造物Ａに安定して設置することができる。
【００４１】
前述の実施例の緊張部材３のベルト部３ａの材質は布製のものを想定しているが、これに限るものではない。即ち、ベルト部３ａとしては、伸びにくく、切れないものであればよいため、例えば、金属製のワイヤーやチェーンであってもよい。
【００４２】
前述した実施例においては、長尺仮設材として梯子としたが、これに限るものではなく、例えばスタンションポール等であってもよい。
【産業上の利用可能性】
【００４３】
本発明は、梯子等の長尺仮設材を壁等の構造物に設置する長尺仮設材設置構造に利用することができる。また、林業における樹木等への昇降のための構造としても利用することができる。
【図面の簡単な説明】
【００４４】
【図１】長尺仮設材設置構造の全体説明図である。
【図２】間隔規定部材の詳細な説明図である。
【図３】緊張部材の詳細な説明図である。
【図４】保持手段の詳細な説明図である。
【図５】保持手段の一部に鋼管を使用した他の実施例の説明図である。
【図６】保持手段の一部に親綱を使用した他の実施例の説明図である。
【図７】保持手段の一部に親綱を使用し、該親綱を構造物の周りに張設した他の実施例の説明図である。
【符号の説明】
【００４５】
Ａ …構造物、Ｂ …通気口、Ｃ …出隅部、
１ …梯子、１ｂ …空洞、
２ …間隔規定部材、２ａ …足部、２ｂ …貫通軸、２ｃ …固定金具、
２ｄ …鋼管、２ｅ  …固定金具、
３ …緊張部材、３ａ …ベルト部、３ｂ …ベルト締部、３ｃ …端部、３ｄ …端部、
４ …保持手段、４ａ …クランプ、４ｂ …通気口把持体、
４ｂ１ …通気口挿入部、４ｂ２ …締込部、４ｂ３ …ハンドル、
４ｃ …鋼管、４ｄ …クランプ、４ｅ …親綱、４ｆ …グリップ、
４ｇ …突っ張り支持具、４ｈ …コーナー支持具、４ｉ …緊張手段、
10 …固定リング部材、10ａ …貫通軸、10ｂ …リング部、
11 …カラビナ
【図１】
2006009501.tif 000003
【図２】
2006009501.tif 000004
【図３】
2006009501.tif 000005
【図４】
2006009501.tif 000006
【図５】
2006009501.tif 000007
【図６】
2006009501.tif 000008
【図７】
2006009501.tif 000009